(57)【要約】  【課題】冷蔵庫の扉に備えつけられる給水装置に関し、貯水タンクに給水された水をすばやく冷却し、低温に保温する。  【解決手段】冷蔵庫７の扉８に備えつけられる給水装置であって、冷蔵庫７の内部に備えられる貯水タンク１０と、貯水タンク１０に貯水された水を冷蔵庫７の扉８の外部へと移動させる、一端が貯水タンク１０に接続され、他端が扉８の外部に配置されるパイプとを有する給水装置において、貯水タンク１０の上部に配置され、蒸発器１２からの冷気を導くエアーガイダー１５を備えたものであり、貯水タンク１０に貯水された水をすばやく冷却し、低温に保温することができる。【選択図】図１
2006200763.tif 000002
【特許請求の範囲】
【請求項１】
冷蔵庫の扉に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、前記貯水タンクの上部に配置され、蒸発器からの冷気を導くエアーガイダーを備えたことを特徴とした給水装置を備えた冷蔵庫。
【請求項２】
前記蒸発器は冷蔵庫庫内の上部に配置した自然対流で冷却する直冷式とし、前記蒸発器の前面には固定枠とカバーを備え、前記固定枠に開口部を設け、前記開口部と前記エアーガイダーを連通したことを特徴とした請求項１に記載の給水装置を備えた冷蔵庫。
【請求項３】
前記貯水タンクと貯水タンクを固定している扉との間に隙間を設けたことを特徴とした請求項１または２に記載の給水装置を備えた冷蔵庫。
【請求項４】
貯水タンクを固定している扉の前記貯水タンクの下部に冷気を受けるリブを備えたことを特徴とした請求項３に記載の給水装置を備えた冷蔵庫。
【請求項５】
冷蔵庫の扉に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、冷蔵庫庫内の上部に配置した自然対流で冷却する直冷式蒸発器を有し、前記蒸発器の前面には固定枠とカバーを備え、前記固定枠に開口部を設け、前記貯水タンクの上部に突起部を設けるとともに、前記突起部に対向して固定枠またはカバーに凹部を設けたことを特徴とした給水装置を備えた冷蔵庫。
【請求項６】
前記固定枠に開口部を設け、前記開口部と連通するエアーガイダーを備えたことを特徴とした請求項５に記載の給水装置を備えた冷蔵庫。
【発明の詳細な説明】
【技術分野】
【０００１】
本発明は、扉の内側に配設された貯水タンクから扉の外側へ冷水を供給する給水装置を備えた冷蔵庫に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図９は、特許文献１に記載された従来の給水装置を備えた冷蔵庫を示すものである。図７に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却することができるようにした給水装置を提供することを目的とする。
【課題を解決するための手段】
【０００８】
上記従来の課題を解決するために、本発明は、冷蔵庫の扉に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、前記貯水タンクの上部に配置され、蒸発器からの冷気を導くエアーガイダーを備えたものである。
【０００９】
これにより、蒸発器からの冷気を貯水タンクの上部へと確実に導くことができ、貯水タンクをすばやく冷却することができる。
【発明の効果】
【００１０】
本発明は、冷蔵庫の扉に備えつけられる給水装置の冷却能力を高めることで、給水装置の使い勝手を向上することができる。
【発明を実施するための最良の形態】
【００１１】
請求項１に記載の発明は、冷蔵庫の扉に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、前記貯水タンクの上部に配置され、蒸発器からの冷気を導くエアーガイダーを備えたものであり、貯水タンクに貯水された水をすばやく冷却し、低温に保温することができる。
【００１２】
請求項２に記載の発明は、請求項１に記載の発明において、前記蒸発器は冷蔵庫庫内の上部に配置した自然対流で冷却する直冷式とし、前記蒸発器の前面には固定枠とカバーを備え、前記固定枠に開口部を設け、前記開口部と前記エアーガイダーを連通したものであり、自然対流で冷却する直冷式の蒸発器を備えたものにおいて、確実に貯水タンクに貯水された水をすばやく冷却し、低温に保温することができる。
【００１３】
請求項３に記載の発明は、請求項１または２に記載の発明において、前記貯水タンクと貯水タンクを固定している扉との間に隙間を設けたものであり、貯水タンク周辺の冷気対流が向上し、さらに貯水タンクに貯水された水をすばやく冷却し、低温に保温することができる。
【００１４】
請求項４に記載の発明は、請求項３に記載の発明において、貯水タンクを固定している扉の前記貯水タンクの下部に冷気を受けるリブを備えたものであり、さらに貯水タンクに貯水された水をすばやく冷却し、低温に保温することができる。
【００１５】
請求項５に記載の発明は、冷蔵庫の扉に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有する給水装置において、冷蔵庫庫内の上部に配置した自然対流で冷却する直冷式蒸発器を有し、前記蒸発器の前面には固定枠とカバーを備え、前記固定枠に開口部を設け、前記貯水タンクの上部に突起部を設けるとともに、前記突起部に対向して固定枠またはカバーに凹部を設けたものであり、自然対流で冷却する直冷式の蒸発器を備えたものにおいて、確実に貯水タンクに貯水された水をすばやく冷却し、低温に保温することができる。
【００１６】
請求項６に記載の発明は、請求項５に記載の発明において、前記固定枠に開口部を設け、前記開口部と連通するエアーガイダーを備えたものであり、さらに確実に貯水タンクに貯水された水をすばやく冷却し、低温に保温することができる。
【００１７】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１８】
（実施の形態１）
図１は、本発明の実施の形態１における給水装置を備えた冷蔵庫の断面図である。図２は、本発明の実施の形態１における給水装置の固定枠の詳細図である。図３は、本発明の実施の形態１における給水装置のエアーガイダーの詳細図である。
【００１９】
図１において、扉８を備えた冷蔵庫本体７の庫内側上部の内側に冷凍室９を形成する直冷式蒸発器１２と、直冷式蒸発器１２を庫内側に固定する固定枠１３と、固定枠１３に設けられた通気孔１６と、固定枠１３に取付けられている冷凍室扉１４が配置されており、直冷式蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置されるエアーガイダー１５と、エアーガイダー１５に設けられた通気孔１７で構成されている。
【００２０】
以上のように構成された給水装置を備えた冷蔵庫について、以下その動作、作用を説明する。
【００２１】
まず、冷蔵庫本体７の冷却運転が始まると、直冷式蒸発器１２が冷却される。この時、直冷式蒸発器１２により冷却されて発生した冷気は、固定枠１３に設けられた通気孔１６を経由し、エアーガイダー１５により貯水タンク１０の上部へ導きかれ、エアーガイダー１５に設けられた通気孔１７より冷気を貯水タンク１０の上部から注ぐことにより貯水タンク１０に給水された水をすばやく冷却し、低温に保温することができる。
【００２２】
（実施の形態２）
図４は、本発明の実施の形態２における給水装置を備えた冷蔵庫の断面図である。
【００２３】
図４において、扉８を備えた冷蔵庫本体７の庫内側上部の内側に冷凍室９を形成する直冷式蒸発器１２と、直冷式蒸発器１２を庫内側に固定する固定枠１３と、固定枠１３に設けられた通気孔１６と、固定枠１３に取付けられている冷凍室扉１４が配置されており、直冷式蒸発器１２と相対する扉８の庫内側に貯水タンク１０を固定するタンク固定扉１８と、貯水タンク１０が配置され、貯水タンク１０とタンク固定扉１８との間に隙間１９が設けてあり、貯水タンク１０に貯水された水を冷蔵庫本体７の扉８の外部へと移動させる、一端が貯水タンク１０に接続され、他端が扉８の外部に配置されるパイプ１１とで構成されている。
【００２４】
以上のように構成された給水装置を備えた冷蔵庫について、以下その動作、作用を説明する。
【００２５】
まず、冷蔵庫本体７の冷却運転が始まると、直冷式蒸発器１２が冷却される。この時、直冷式蒸発器１２により冷却されて発生した冷気は、固定枠１３に設けられた通気孔１６を経由し、貯水タンク１０の上部へ注がれ、貯水タンク１０とタンク固定扉１８との間に設けられた隙間１９を冷気が通過することにより、貯水タンク１０が冷却され、貯水タンク１０に給水された水をすばやく冷却し、低温に保温することができる。
【００２６】
（実施の形態３）
図５は、本発明の実施の形態３における給水装置を備えた冷蔵庫の断面図である。
【００２７】
図５において、扉８を備えた冷蔵庫本体７の庫内側上部の内側に冷凍室９を形成する直冷式蒸発器１２と、直冷式蒸発器１２を庫内側に固定する固定枠１３と、固定枠１３に設けられた通気孔１６と、固定枠１３に取付けられている冷凍室扉１４が配置されており、直冷式蒸発器１２と相対する扉８の庫内側に貯水タンク１０を固定するタンク固定扉１８と、貯水タンク１０が配置され、貯水タンク１０とタンク固定扉１８との間に隙間１９が設けてあり、貯水タンク１０の下部にタンク固定扉１８に設けられたリブ２０が配置され、貯水タンク１０に貯水された水を冷蔵庫本体７の扉８の外部へと移動させる、一端が貯水タンク１０に接続され、他端が扉８の外部に配置されるパイプ１１とで構成されている。
【００２８】
以上のように構成された給水装置を備えた冷蔵庫について、以下その動作、作用を説明する。
【００２９】
まず、冷蔵庫本体７の冷却運転が始まると、直冷式蒸発器１２が冷却される。この時、直冷式蒸発器１２により冷却されて発生した冷気は、固定枠１３に設けられた通気孔１６を経由し、貯水タンク１０の上部へ注がれ、貯水タンク１０とタンク固定扉１８との間に設けられた隙間１９を冷気が通過し、隙間１９からの冷気を貯水タンク１０の下部に配置されたタンク固定扉１８に設けたリブ２０で受け、冷気が滞留することにより貯水タンク１０に給水された水をすばやく冷却し、低温に保温することができる。
【００３０】
（実施の形態４）
図６は、本発明の実施の形態４における給水装置を備えた冷蔵庫の断面図である。図７は、本発明の実施の形態４における給水装置の冷凍室扉の斜視図である。
【００３１】
図６において、扉８を備えた冷蔵庫本体７の庫内側上部に、内側に冷凍室９を形成する直冷式蒸発器１２と直冷式蒸発器１２を庫内側に固定する固定枠１３と固定枠１３に設けられた通気孔１６が配置されており、直冷式蒸発器１２と相対する扉８の庫内側に貯水タンク１０が配置され、貯水タンク１０の上部に配置された突起部２１と突起部２１を収納できる形状を設けた固定枠１３に取付けられている冷凍室扉２２が配置されており、貯水タンク１０に貯水された水を冷蔵庫本体７の扉８の外部へと移動させる、一端が貯水タンク１０に接続され、他端が扉８の外部に配置されるパイプ１１とで構成されている。
【００３２】
以上のように構成された給水装置を備えた冷蔵庫について、以下その動作、作用を説明する。
【００３３】
まず、冷蔵庫本体７の冷却運転が始まると、直冷式蒸発器１２が冷却される。この時、貯水タンク１０の上部に配置された突起部２１を冷凍室９の冷凍室扉２２に収納できる形状を設けているため、貯水タンク１０と冷凍室９との距離を接近させることにより、直冷式蒸発器１２により冷却されて発生した冷気を直接受けることができ、貯水タンク１０に給水された水をすばやく冷却し、低温に保温することができる。
【００３４】
（実施の形態５）
図８は、本発明の実施の形態５における給水装置を備えた冷蔵庫の断面図である。
【００３５】
図８において、扉８を備えた冷蔵庫本体７の庫内側上部の内側に冷凍室９を形成する直冷式蒸発器１２が配置されており、直冷式蒸発器１２を庫内側に固定する固定枠１３と固定枠１３に設けられた通気孔１６が配置されており、直冷式蒸発器１２と相対する扉８の庫内側に貯水タンクを固定するタンク固定扉１８と貯水タンク１０が配置され、貯水タンク１０の上部に配置された突起部２１と突起部２１を収納できる形状を設けた固定枠１３に取付けられている冷凍室扉２２が配置されており、貯水タンク１０とタンク固定扉１８との間に隙間１９が設けてあり、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置されるエアーガイダー１５と、エアーガイダー１５に設けられた通気孔１７とで構成されている。
【００３６】
以上のように構成された給水装置を備えた冷蔵庫について、以下その動作、作用を説明する。
【００３７】
まず、冷蔵庫本体７の冷却運転が始まると、直冷式蒸発器１２が冷却される。この時、直冷式蒸発器１２により冷却されて発生した冷気は、固定枠１３に設けられた通気孔１６を経由し、エアーガイダー１５により貯水タンク１０の上部へ導きかれ、エアーガイダー１５に設けられた通気孔１７より冷気を貯水タンク１０の上部から注がれ、貯水タンク１０とタンク固定扉１８との間に設けられた隙間１９を冷気が通過し、かつ貯水タンク１０の上部に配置された突起部２１を冷凍室９の冷凍室扉１４に収納できる形状を設けているため、貯水タンク１０と冷凍室９との距離を接近させることにより、直冷式蒸発器１２により冷却されて発生した冷気を直接受けることができ、貯水タンク１０に給水された水をすばやく冷却し、低温に保温することができる。
【産業上の利用可能性】
【００３８】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００３９】
【図１】本発明の実施の形態１における給水装置を備えた冷蔵庫の断面図
【図２】本発明の実施の形態１における給水装置の固定枠の詳細図
【図３】本発明の実施の形態１における給水装置のエアーガイダーの詳細図
【図４】本発明の実施の形態２における給水装置を備えた冷蔵庫の断面図
【図５】本発明の実施の形態３における給水装置を備えた冷蔵庫の断面図
【図６】本発明の実施の形態４における給水装置を備えた冷蔵庫の断面図
【図７】本発明の実施の形態４における給水装置の冷凍室扉の斜視図
【図８】本発明の実施の形態５における給水装置を備えた冷蔵庫の断面図
【図９】従来の給水装置を備えた冷蔵庫の断面図
【符号の説明】
【００４０】
７    冷蔵庫本体
８    扉
９    冷凍室
１０  貯水タンク
１１  パイプ
１２  蒸発器
１３  固定枠
１４、２２  冷凍室扉
１５  エアーガイダー
１６，１７  通気孔
１８  タンク固定扉
１９  隙間
２０  リブ
２１  タンク突起部
【図１】
2006200763.tif 000003
【図２】
2006200763.tif 000004
【図３】
2006200763.tif 000005
【図４】
2006200763.tif 000006
【図５】
2006200763.tif 000007
【図６】
2006200763.tif 000008
【図７】
2006200763.tif 000009
【図８】
2006200763.tif 000010
【図９】
2006200763.tif 000011